(57)【要約】【課題】スマートアンテナを接続して使用するテレビジョン受像機において、消費電力を削減する。【解決手段】デジタル／アナログ受像機１は、スマートアンテナ３が接続されて使用される。スマートアンテナ３は、電源供給を受けている状態では、電波の受信方向を変えることができると共に、電波の受信により発生する電気信号をデジタル／アナログ受像機１に与え、電源供給を受けていない状態では、電波の受信により発生する電気信号をデジタル／アナログ受像機１に与えない。デジタル／アナログ受像機１は、スマートアンテナ３を使用することなくテレビ放送信号に基く映像を正常に表示することができるアンテナ不要状況であるか否かを判定し、アンテナ不要状況であれば、スマートアンテナ３への電源供給を行わず、アンテナ不要状況でなければ、スマートアンテナ３への電源供給を行う。【選択図】図１
2009177633.tif 000002
【特許請求の範囲】
【請求項１】
電気信号線を介してアンテナが接続され、前記電気信号線から得られる電気信号から構成されるテレビ放送信号を受信して、前記テレビ放送信号に基く映像を表示するテレビジョン受像機において、
前記アンテナは、電源の供給を受けている状態では、電波の受信方向を変えることができると共に、電波の受信により発生する電気信号を前記電気信号線に出力し、電源の供給を受けていない状態では、電波の受信により発生する電気信号を前記電気信号線に出力しない、スマートアンテナであり、
前記アンテナへの電源供給を制御するアンテナ電源制御手段と、
任意のチャンネルについて、前記アンテナを使用することなくテレビ放送信号に基く映像を正常に表示することができるアンテナ不要状況であるか否かを判定するアンテナ不要判定手段と、
任意のチャンネルを選局して、その選局チャンネルのテレビ放送信号に基く映像を表示する処理であるテレビ受像処理を制御するテレビ受像制御手段とを備え、
前記アンテナ電源制御手段は、
前記テレビ受像制御手段によるテレビ受像処理において、
そのテレビ受像処理における選局チャンネルが前記アンテナ不要判定手段により前記アンテナ不要状況であると判定されるチャンネルである場合に、前記アンテナへの電源供給を行わず、
そのテレビ受像処理における選局チャンネルが前記アンテナ不要判定手段により前記アンテナ不要状況でないと判定されるチャンネルである場合に、前記アンテナへの電源供給を行う、
ことを特徴とするテレビジョン受像機。
【請求項２】
任意のチャンネルについて、前記アンテナの受信方向の最適方向を判定するアンテナ方向判定手段を備え、
前記アンテナ方向判定手段は、
前記アンテナ不要判定手段により前記アンテナ不要状況でないと判定されたチャンネルについて、前記最適方向を判定する、
ことを特徴とする請求項１に記載のテレビジョン受像機。
【請求項３】
選局可能なチャンネルを自動的に検出するオートスキャン処理を制御するオートスキャン制御手段を備え、
前記アンテナ不要判定手段は、
前記オートスキャン制御手段によるオートスキャン処理が行われているときに、そのオートスキャン処理により選局可能であるか否かを検出するチャンネルについて、前記アンテナ不要状況であるか否かを判定する、
ことを特徴とする請求項２に記載のテレビジョン受像機。
【請求項４】
前記アンテナ不要判定手段は、
前記テレビ受像制御手段によるテレビ受像処理が行われているときに、そのテレビ受像処理における選局チャンネルについて、前記アンテナ不要状況であるか否かを判定する、
ことを特徴とする請求項３に記載のテレビジョン受像機。
【発明の詳細な説明】
【技術分野】
【０００１】
本発明は、放送局から配信されるテレビ放送信号を受信して、テレビ放送信号に基く映像を表示するテレビジョン受像機に関するものである。
【背景技術】
【０００２】
従来から、テレビジョン受像機は、電波の受信により発生する電気信号を伝達するための電気信号線を介してアンテナが接続され、電気信号線から得られる電気信号から構成されるテレビ放送信号を受信して、テレビ放送信号に基く映像を表示するようになっている。このようなテレビジョン受像機において、アンテナとしてスマートアンテナを接続して使用するものがある。
【０００３】
スマートアンテナは、電波の受信方向を複数の異なる方向に切替えることができるアンテナであり、電気信号線に加え、電源の供給を受けるための電源線、及び電波の受信方向を制御するための制御信号を受けるための制御信号線を介して、テレビジョン受像機に接続されるようになっている。すなわち、スマートアンテナは、電源線を介してテレビジョン受像機から電源の供給を受けると共に、制御信号線を介してテレビジョン受像機から電波の受信方向を制御するための制御信号を受けるようになっている。そして、スマートアンテナは、電源の供給を受けている状態では、電波の受信により発生する電気信号を電気信号線に出力すると共に、制御信号を受けて電波の受信方向を変えることができるようになっており、電源の供給を受けていない状態では、電波の受信により発生する電気信号を電気信号線に出力しないようになっている。
【０００４】
スマートアンテナを接続して使用するテレビジョン受像機は、スマートアンテナに電源を供給すると共にスマートアンテナに制御信号を送信して、スマートアンテナによる電波の受信方向を最適な受信方向となるように制御し、そして、スマートアンテナが最適な受信方向で電波を受信している状態で、電気信号線から得られる電気信号から構成されるテレビ放送信号を受信して、テレビ放送信号に基く映像を表示するようになっている。
【０００５】
また、複数系統の受信機を有し、大きい電界レベルが検出された方の受信機への電源供給を行い、他方の受信機への電源供給を行わないようにした携帯無線通信装置が知られている（例えば特許文献１参照）。また、第１のアンテナ及び受信復調部と第２のアンテナ及び受信復調部を有し、受信環境の時間的変化が小さい場合に、第２の受信復調部への電源供給をオフするようにしたダイバーシチ受信装置が知られている（例えば特許文献２参照）。また、受信信号レベルが所定のしきい値レベル以上のときに、増幅器への電源供給をオフするようにした受信機が知られている（例えば特許文献３参照）。また、複数のアンテナを有し、受信状態が強電界状態の場合には、アンテナ切り替え回路への電源供給をオフするようにした受信装置が知られている（例えば特許文献４参照）。また、スマートアンテナの受信方向変更しながら、チューナ回路の受信電界強度をモニタして、スマートアンテナの受信方向を設定するようにしたテレビジョン受像機が知られている（例えば特許文献５参照）。
【特許文献１】特開平７−２５４８７１号公報
【特許文献２】特開２００６−２８７７２２号公報
【特許文献３】特開２００３−１８８７５１号公報
【特許文献４】特開２０００−３４１１８５号公報
【特許文献５】特開２００６−２７０７３６号公報
【発明の開示】
【発明が解決しようとする課題】
【０００６】
ところで、テレビジョン受像機は、例えば放送局の近くなど、テレビ放送信号を搬送する電波（テレビ放送信号を所定周波数の搬送波に重畳した電波）の電界強度が強い場所では、アンテナを使用しなくても、テレビ放送信号を受信することができて、テレビ放送信号に基く映像を正常に表示することができることがある。これは、電波の電界強度が強い場所では、アンテナに接続するためにテレビジョン受像機に接続された電気信号線や、テレビジョン受像機内におけるチューナ（電気信号線から得られる電気信号から構成されるテレビ放送信号を受信する回路）へ電気信号を入力するための電気配線などが、アンテナの役割を果たすためである。
【０００７】
ところが、上述した従来のスマートアンテナを接続して使用するテレビジョン受像機においては、スマートアンテナを使用することなくテレビ放送信号に基く映像を正常に表示することができるか否かを判定するようにはなっておらず、スマートアンテナを使用することなくテレビ放送信号に基く映像を正常に表示することができるか否かに関わらず、スマートアンテナに電源を供給してスマートアンテナを使用するようになっている。すなわち、従来のスマートアンテナを接続して使用するテレビジョン受像機においては、スマートアンテナを使用することなくテレビ放送信号に基く映像を正常に表示することができる状況であっても、スマートアンテナに電源を供給してスマートアンテナを使用しており、電力を無駄に消費していた。なお、上述した特許文献１乃至特許文献５に開示の内容を適用したとしても、上記の問題を解決することはできない。
【０００８】
本発明は、上記課題を解決するためになされたものであり、スマートアンテナを接続して使用するテレビジョン受像機において、消費電力を削減することができるテレビジョン受像機を提供することを目的とする。
【課題を解決するための手段】
【０００９】
上記目的を達成するために請求項１の発明は、電気信号線を介してアンテナが接続され、電気信号線から得られる電気信号から構成されるテレビ放送信号を受信して、テレビ放送信号に基く映像を表示するテレビジョン受像機において、アンテナは、電源の供給を受けている状態では、電波の受信方向を変えることができると共に、電波の受信により発生する電気信号を電気信号線に出力し、電源の供給を受けていない状態では、電波の受信により発生する電気信号を電気信号線に出力しない、スマートアンテナであり、アンテナへの電源供給を制御するアンテナ電源制御手段と、任意のチャンネルについて、アンテナを使用することなくテレビ放送信号に基く映像を正常に表示することができるアンテナ不要状況であるか否かを判定するアンテナ不要判定手段と、任意のチャンネルを選局して、その選局チャンネルのテレビ放送信号に基く映像を表示する処理であるテレビ受像処理を制御するテレビ受像制御手段とを備え、アンテナ電源制御手段は、テレビ受像制御手段によるテレビ受像処理において、そのテレビ受像処理における選局チャンネルがアンテナ不要判定手段によりアンテナ不要状況であると判定されるチャンネルである場合に、アンテナへの電源供給を行わず、そのテレビ受像処理における選局チャンネルがアンテナ不要判定手段によりアンテナ不要状況でないと判定されるチャンネルである場合に、アンテナへの電源供給を行うものである。
【００１０】
請求項２の発明は、請求項１に記載のテレビジョン受像機において、任意のチャンネルについて、アンテナの受信方向の最適方向を判定するアンテナ方向判定手段を備え、アンテナ方向判定手段は、アンテナ不要判定手段によりアンテナ不要状況でないと判定されたチャンネルについて、最適方向を判定するものである。
【００１１】
請求項３の発明は、請求項２に記載のテレビジョン受像機において、選局可能なチャンネルを自動的に検出するオートスキャン処理を制御するオートスキャン制御手段を備え、アンテナ不要判定手段は、オートスキャン制御手段によるオートスキャン処理が行われているときに、そのオートスキャン処理により選局可能であるか否かを検出するチャンネルについて、アンテナ不要状況であるか否かを判定するものである。
【００１２】
請求項４の発明は、請求項３に記載のテレビジョン受像機において、アンテナ不要判定手段は、テレビ受像制御手段によるテレビ受像処理が行われているときに、そのテレビ受像処理における選局チャンネルについて、アンテナ不要状況であるか否かを判定するものである。
【発明の効果】
【００１３】
請求項１の発明によれば、スマートアンテナを使用することなくテレビ放送信号に基く映像を正常に表示することができるアンテナ不要状況では、スマートアンテナへの電源供給が行われない。従って、電力を無駄に消費することがなく、消費電力を削減することができる。
【００１４】
請求項２の発明によれば、アンテナ不要状況でないと判定されるチャンネルについて、スマートアンテナの受信方向の最適方向が判定される。従って、アンテナ不要状況であると判定されるチャンネルについて、スマートアンテナの受信方向の最適方向を判定するための処理を省くことができ、電力を無駄に消費することがなく、消費電力を削減することができる。
【００１５】
請求項３の発明によれば、選局可能なチャンネルを自動的に検出するオートスキャン処理を行っているときに、そのオートスキャン処理により選局可能であるか否かを検出するチャンネルについて、アンテナ不要状況であるか否かが判定される。従って、テレビ受像処理（チャンネルを選局して、そのチャンネルのテレビ放送信号に基く映像を表示するテレビ受像処理）を開始するときに、アンテナ不要状況であるか否かを判定するための処理を省くことができ、素早く、テレビ放送信号に基く映像を正常に表示することができる。
【００１６】
請求項４の発明によれば、テレビ受像処理を行っているときに、そのテレビ受像処理における選局チャンネルについて、アンテナ不要状況であるか否かが判定される。従って、テレビ受像処理を行っているときに、状況が変化して、アンテナ不要状況でなくなった場合には、それ以降、スマートアンテナへの電源供給が行われてスマートアンテナが使用されることにより、継続して、テレビ放送信号に基く映像を正常に表示することができる。
【発明を実施するための最良の形態】
【００１７】
以下、本発明を具体化した実施形態によるテレビジョン受像機について図面を参照して説明する。図１は、本実施形態によるテレビジョン受像機であるデジタル／アナログ受像機（ＳＴＢ）１の構成を示す。デジタル／アナログ受像機１は、放送局から電波の形態で（所定周波数の搬送波に重畳されて）配信されるテレビ放送信号を受信して、そのテレビ放送信号に基く映像を表示する機器である。
【００１８】
このデジタル／アナログ受像機１は、ディスプレイ２を接続して使用するようになっており、その接続したディスプレイ２にテレビ放送信号に基く映像を表示するようになっている。また、このデジタル／アナログ受像機１は、テレビ放送信号を受信するためのアンテナとしてスマートアンテナ３が接続されるようになっており、スマートアンテナ３を使用してテレビ放送信号を受信できるようになっている。
【００１９】
スマートアンテナ３は、ＥＩＡ−９０９規格に準拠したアンテナであり、電波の受信方向を１６方向に切替えることができるようになっている。スマートアンテナ３には、電源の供給を受けるための電源線４、電波の受信方向を制御するための制御信号を受けるための制御信号線５、及び電波の受信により発生する電気信号を伝達するための電気信号線６が接続される。すなわち、スマートアンテナ３は、電源線４から電源の供給を受けると共に、制御信号線５から電波の受信方向を制御するための制御信号を受け、そして、電波の受信により発生する電気信号を電気信号線６に出力するようになっている。
【００２０】
スマートアンテナ３は、複数の異なる受信方向で電波を受信することが可能なアンテナ素子群と、スマートアンテナ３の動作を制御するアンテナコントローラ等を備えている。アンテナコントローラは、電源線４から電源の供給を受けて動作するようになっている。そして、アンテナコントローラは、電源の供給を受けている状態では、アンテナ素子群と電気信号線６とを接続すると共に、制御信号線５からの制御信号に基いてアンテナ素子群による電波の受信方向を１６方向に切替え制御するようになっており、電源の供給を受けていない状態では、アンテナ素子群と電気信号線６との接続を断つようになっている。
【００２１】
従って、スマートアンテナ３は、電源線４から電源の供給を受けている状態では、制御信号線５からの制御信号によって電波の受信方向を変えることができると共に、電波の受信により発生する電気信号を電気信号線６に出力するようになっており、電源線４から電源の供給を受けていない状態では、電波の受信により発生する電気信号を電気信号線６に出力しないようになっている。
【００２２】
このような構成のスマートアンテナ３は、電源の供給を受けるための電源線４、電波の受信方向を制御するための制御信号を受けるための制御信号線５、及び電波の受信により発生する電気信号を伝達するための電気信号線６を介して、デジタル／アナログ受像機１と接続される。すなわち、スマートアンテナ３は、電源線４を介してデジタル／アナログ受像機１から電源の供給を受けると共に、制御信号線５を介してデジタル／アナログ受像機１から電波の受信方向を制御するための制御信号を受け、そして、電波の受信により発生する電気信号を電気信号線６を介してデジタル／アナログ受像機１に与える。
【００２３】
デジタル／アナログ受像機１は、電源線４を介してスマートアンテナ３に電源の供給を行うと共に、制御信号線５を介してスマートアンテナ３に電波の受信方向を制御するための制御信号を送信して、スマートアンテナ３による電波の受信方向を１６方向に切替え制御し、そして、スマートアンテナ３による電波の受信により発生する電気信号を電気信号線６を介して得るようになっている。
【００２４】
デジタル／アナログ受像機１から電源線４を介してスマートアンテナ３に電源の供給を行うことにより、スマートアンテナ３による電波の受信により発生する電気信号が電気信号線６を介してデジタル／アナログ受像機１に与えられ、デジタル／アナログ受像機１から制御信号線５を介してスマートアンテナ３に制御信号を送信することにより、スマートアンテナ３による電波の受信方向が制御される。
【００２５】
デジタル／アナログ受像機１は、チューナ１１と、デコーダ１２と、ＯＳＤ回路１３と、アンテナ電源部１４と、制御信号送信部１５と、リモコン１６と、リモコン受信部１７と、ＲＯＭ１８と、ＲＡＭ１９と、デジタル／アナログ受像機１の動作を制御するＣＰＵ２０等を備える。
【００２６】
チューナ１１は、ＣＰＵ２０による制御のもと、その受信周波数がテレビ放送信号のチャンネルに対応する周波数に設定されることにより、そのチャンネルのテレビ放送信号を電気信号線６を介して受信する。そして、チューナ１１は、受信したテレビ放送信号を復調して、テレビ放送信号に基く映像に関する信号（輝度信号、色信号、同期信号等の信号）や電子番組ガイド用のチャンネル情報（番組の題名、番組の内容、番組の放送日時等の情報）等がデジタル圧縮符号化され多重化されたＴＳ（Transport Stream）を生成し、そのＴＳをデコーダ１２に与える。また、チューナ１１は、テレビ放送信号を復調してＴＳを生成するときのエラーレートを算出し、そのエラーレートをＣＰＵ２０に与える。
【００２７】
デコーダ１２は、ＣＰＵ２０による制御のもと、チューナ１１により生成されたＴＳを解析して、ＴＳからテレビ放送信号に基く映像に関する信号や電子番組ガイド用のチャンネル情報等を復号する。そして、デコーダ１２は、ＴＳから復号した映像に関する信号を処理して、テレビ放送信号に基く映像をディスプレイ２にて表示できる形式の映像信号を生成し、その映像信号をＯＳＤ回路１３に与える。また、デコーダ１２は、ＴＳから復号したチャンネル情報をＣＰＵ２０に与える。
【００２８】
ＯＳＤ回路１３は、ＣＰＵ２０による制御のもと、テレビ放送信号に基く映像とリモコン１６の操作内容や各種設定の案内等を示すオンスクリーン映像とを選択的に又は合成してディスプレイ２に表示するために、デコーダ１２により生成された映像信号を処理する。ＯＳＤ回路１３により処理された信号は、ＣＰＵ２０による制御のもと、ディスプレイ２に出力され、これにより、テレビ放送信号に基く映像とオンスクリーン映像とが選択的に又は合成されてディスプレイ２に表示される。
【００２９】
アンテナ電源部１４は、ＣＰＵ２０による制御のもと、スマートアンテナ３が動作するための電源を、電源線４を介してスマートアンテナ３へ供給する。すなわち、アンテナ電源部１４は、ＣＰＵ２０からの電源オン指令を受けて、電源線４を介してスマートアンテナ３へ電源の供給を開始し、ＣＰＵ２０からの電源オフ指令を受けて、スマートアンテナ３への電源の供給を終了する。
【００３０】
制御信号送信部１５は、ＣＰＵ２０による制御のもと、スマートアンテナ３の電波の受信方向を制御するための制御信号を、制御信号線５を介してスマートアンテナ３に送信する。スマートアンテナ３の電波の受信方向を制御するための制御信号は、電波の受信方向を示す信号や電波の受信方向の切換指示を示す信号等を含んでいる。
【００３１】
リモコン１６は、デジタル／アナログ受像機１の電源のオン／オフ、テレビ放送信号のチャンネルの選局等、デジタル／アナログ受像機１の各種動作を指示するためにユーザにより操作される。リモコン１６は、デジタル／アナログ受像機１の各種動作を指示するためにユーザに操作される各種操作キーを備えており、各種操作キーが操作されることにより、その操作に対応付けられた赤外線信号を送出する。リモコン受信部１７は、リモコン１６から送出された赤外線信号を受信して電気信号に変換し、リモコン１６の操作に対応するリモコン受信信号をＣＰＵ２０に与える。
【００３２】
ＲＯＭ１８は、デジタル／アナログ受像機１の動作を制御するためのプログラムや各種データ（テレビ放送信号の各チャンネルの受信周波数を示す周波数データ等）を記憶している。また、ＲＯＭ１８は、書込み（書換え）可能タイプのものであり、ＣＰＵ２０による制御のもと、テレビ放送信号の各チャンネルにおけるスマートアンテナ３の最適な使用方法を示すチャンネル受信テーブルを記憶する。ＲＡＭ１９は、ＣＰＵ２０による制御のもと、デジタル／アナログ受像機１の動作に関わる各種データを一時的に記憶する。
【００３３】
ＣＰＵ２０は、ＲＯＭ１８に記憶しているプログラムや各種データ及びＲＡＭ１９に一時的に記憶した各種データに基いて、リモコン１６の操作を受けて、デジタル／アナログ受像機１の各種動作を制御する。ＲＯＭ１８に記憶されているプログラムや各種データ、及びＣＰＵ２０等によって、アンテナ電源制御手段、オートスキャン制御手段、テレビ受像制御手段、アンテナ不要判定手段、及びアンテナ方向判定手段が構成されている。
【００３４】
ＣＰＵ２０は、スマートアンテナ３への電源供給を制御する。スマートアンテナ３への電源供給の制御は、ＣＰＵ２０がアンテナ電源部１４に電源オン指令及び電源オフ指令を与えることにより行われる。ＣＰＵ２０がアンテナ電源部１４に電源オン指令を与えることにより、アンテナ電源部１４が電源線４を介してスマートアンテナ３へ電源の供給を行い、ＣＰＵ２０がアンテナ電源部１４に電源オフ指令を与えることにより、アンテナ電源部１４がスマートアンテナ３への電源の供給を断つ。
【００３５】
また、ＣＰＵ２０は、スマートアンテナ３の電波の受信方向を制御する。スマートアンテナ３の電波の受信方向の制御は、ＣＰＵ２０が制御信号送信部１５に制御信号送信指令を与えることにより行われる。ＣＰＵ２０が制御信号送信部１５に制御信号送信指令を与えることにより、制御信号送信部１５が制御信号線５を介してスマートアンテナ３へ制御信号を送信し、スマートアンテナ３がその制御信号を受けて電波の受信方向を制御する。
【００３６】
また、ＣＰＵ２０は、選局可能なチャンネルを自動的に検出する処理であるオートスキャン処理や、テレビ放送信号のチャンネルを選局して、その選局チャンネルのテレビ放送信号に基く映像を表示する処理であるテレビ受像処理等を制御する。
【００３７】
また、ＣＰＵ２０は、テレビ放送信号の各チャンネルについて、スマートアンテナ３を使用することなく（すなわちスマートアンテナ３への電源供給を行うことなく）テレビ放送信号に基く映像を正常に表示することができるアンテナ不要状況であるか否かを判定する。アンテナ不要状況であるか否かの判定は、スマートアンテナ３への電源供給を行っていない状態で、チューナ１１によりテレビ放送信号の受信を試みると共に、デコーダ１２によりＴＳ（チューナによりテレビ放送信号を復調して生成された、テレビ放送信号に基く映像に関する信号や電子番組ガイド用のチャンネル情報等がデジタル圧縮符号化され多重化された信号）の解析を試みることにより行われる。このとき、ＣＰＵ２０は、チューナ１１から得られるエラーレート（テレビ放送信号を復調してＴＳを生成するときのエラーレート）が閾値未満であって、デコーダ１２にてＴＳの解析に成功した場合（デコーダ１２からチャンネル情報を獲得できた場合）に、アンテナ不要状況であると判定する。
【００３８】
また、ＣＰＵ２０は、アンテナ不要状況でないと判定されたチャンネルについて、スマートアンテナ３の電波の受信方向の最適方向であるアンテナ最適方向を判定する。アンテナ最適方向の判定は、スマートアンテナ３への電源供給を行って、スマートアンテナ３の電波の受信方向を複数の方向に異ならせた各々の状態で、チューナ１１によりテレビ放送信号の受信を試みると共に、デコーダ１２によりＴＳの解析を試みることにより行われる。このとき、ＣＰＵ２０は、チューナ１１から得られるエラーレートが最小であると共に閾値未満であって、デコーダ１２にてＴＳの解析に成功したときのスマートアンテナ３の電波の受信方向を、アンテナ最適方向と判定する。
【００３９】
ＣＰＵ２０は、これらアンテナ不要状況であるか否かの判定結果及びアンテナ最適方向の判定結果を、テレビ受像処理でのスマートアンテナ３の使用方法に反映させる。すなわち、ＣＰＵ２０は、テレビ受像処理において、そのテレビ受像処理における選局チャンネルがアンテナ不要状況であると判定されるチャンネルである場合には、スマートアンテナ３への電源供給を行わず、そのテレビ受像処理における選局チャンネルがアンテナ不要状況でないと判定されるチャンネルである場合には、スマートアンテナ３への電源供給を行うと共に、スマートアンテナ３の電波の受信方向をアンテナ最適方向にする。
【００４０】
ＣＰＵ２０は、アンテナ不要状況であるか否かの判定結果、及びアンテナ最適方向の判定結果を、ＲＯＭ１８に記憶されているチャンネル受信テーブルに記憶し、そして、テレビ受像処理において、チャンネル受信テーブルに記憶されている判定結果に基いてスマートアンテナ３への電源供給及びスマートアンテナ３の電波の受信方向を制御することにより、アンテナ不要状況であるか否かの判定結果及びアンテナ最適方向の判定結果を、テレビ受像処理でのスマートアンテナ３の使用方法に反映させる。
【００４１】
アンテナ不要状況であるか否かの判定及びアンテナ最適方向の判定は、オートスキャン処理が行われているときに、そのオートスキャン処理により選局可能であるか否かを検出するチャンネルについて行われ、また、テレビ受像処理が行われているときにも、そのテレビ受像処理における選局チャンネルについて行われる。
【００４２】
図２は、上記ＲＯＭ１８に記憶されているチャンネル受信テーブルを示す。チャンネル受信テーブル３０は、複数の物理Ｃｈエリア３１と、複数の仮想Ｃｈエリア３２と、複数のＡＤＤ／ＤＥＬエリア３３と、複数の最適状態エリア３４とを有する。
【００４３】
物理Ｃｈエリア３１は、テレビ放送信号のチャンネルを識別するための物理チャンネル番号を記憶する記憶エリアである。仮想Ｃｈエリア３２は、テレビ放送信号のチャンネルに対応して、そのチャンネルに仮想的に対応付けられた仮想チャンネル番号（ユーザが認識し使用するためのチャンネル番号）を記憶する記憶エリアである。ＡＤＤ／ＤＥＬエリア３３は、テレビ放送信号のチャンネルに対応して、そのチャンネルが選局可能なチャンネルであることを記憶する記憶エリアである。最適状態エリア３４は、テレビ放送信号のチャンネルに対応して、そのチャンネルにおけるスマートアンテナ３の最適な使用状態を記憶する記憶エリアである。
【００４４】
図２に示す例において、物理Ｃｈエリア３１に示されている「２」「３」「４」・・・「８」・・・「１６」・・・「２０」・・・「６９」の数字は、物理チャンネル番号を表わし、仮想Ｃｈエリア３２に示されている「１５」「３０」「２」「６５」の数字は、仮想チャンネル番号を表わし、ＡＤＤ／ＤＥＬエリア３３に示されている「○」の印は、選局可能であることを表わしている。また、最適状態エリア３４に示されている「３」「１０」「１」の数字は、スマートアンテナ３の電波の受信方向をその数字で表わされる方向にするのがスマートアンテナ３の最適な使用状態であること（すなわちアンテナ最適方向）を示し、最適状態エリア３４に示されている「電源オフ」の文字は、スマートアンテナ３への電源供給を行わないのがスマートアンテナ３の最適な使用状態であることを示している。
【００４５】
すなわち、図２に示す例では、受信チャンネルテーブル３０には、物理チャンネル番号が「４」であるテレビ放送信号について、仮想チャンネル番号が「１５」であり、選局可能であり、スマートアンテナ３の最適な使用状態が電波の受信方向を３番目の方向にして使用する状態であることが記憶されている。また、物理チャンネル番号が「８」であるテレビ放送信号について、仮想チャンネル番号が「３０」であり、選局可能であり、スマートアンテナ３の最適な使用状態が電波の受信方向を１０番目の方向にして使用する状態であることが記憶されている。また、物理チャンネル番号が「１６」であるテレビ放送信号について、仮想チャンネル番号が「２」であり、選局可能であり、スマートアンテナ３の最適な使用状態がスマートアンテナ３への電源供給を行わない（すなわちスマートアンテナ３を使用しない）状態であることが記憶されている。また、物理チャンネル番号が「２０」であるテレビ放送信号について、仮想チャンネル番号が「６５」であり、選局可能であり、スマートアンテナ３の最適な使用状態が電波の受信方向を１番目の方向にして使用する状態であることが記憶されている。
【００４６】
なお、デジタル／アナログ受像機１の出荷時等の初期状態においては、チャンネル受信テーブル３０には、各物理Ｃｈエリア３１に、物理チャンネル番号が記憶されており、各仮想Ｃｈエリア３２に、仮想チャンネル番号が記憶されており、各ＡＤＤ／ＤＥＬエリア３３には、選局可能であることは記憶されておらず、各最適状態エリア３４には、スマートアンテナ３の最適な使用状態は記憶されていない。各ＡＤＤ／ＤＥＬエリア３３、及び各最適状態エリア３４には、上記アンテナ不要状況であるか否かの判定、及びアンテナ最適方向の判定が行われることにより、選局可能であること、及びスマートアンテナ３の最適な使用状態が記憶される。
【００４７】
図３は、デジタル／アナログ受像機１のオートスキャン処理のフローチャートを示す。オートスキャン処理は、ユーザによるオートスキャン処理を行うための指示操作を受けて行われる。オートスキャン処理では、まず、ＣＰＵ２０は、物理チャンネル番号を示す変数ＣＨの値を「２」に設定する（＃１）。
【００４８】
そして、ＣＰＵ２０は、チューナ１１に、変数ＣＨの値で示される物理チャンネル番号に対応するチャンネルの周波数を設定して（＃２）、スマートアンテナ信号検索処理を行う（＃３）。
【００４９】
図４は、スマートアンテナ信号検索処理のフローチャートを示す。スマートアンテナ信号検索処理では、まず、ＣＰＵ２０は、スマートアンテナ３への電源供給をオフにして（＃３１）、チューナ１１にてテレビ放送信号を受信させ（＃３２）、そのときにチューナ１１から得られるエラーレートが閾値未満であるか否かを判断する（＃３３）。
【００５０】
ここで、エラーレートが閾値未満であれば（＃３３でＹＥＳ）、ＣＰＵ２０は、テレビ放送信号の受信に成功したと判定して（＃３４）、スマートアンテナ信号検索処理を終了する。
【００５１】
一方、エラーレートが閾値未満でなければ（＃３３でＮＯ）、ＣＰＵ２０は、スマートアンテナ３への電源供給をオンにすると共に（＃３５）、スマートアンテナ３の電波の受信方向（０〜１５の１６方向）に対応するカウンタ値ｎを「０」に設定する（＃３６）。
【００５２】
そして、ＣＰＵ２０は、スマートアンテナ３の受信方向をｎ番目の受信方向に設定して（＃３７）、チューナ１１にてテレビ放送信号を受信させ（＃３８）、そのときにチューナ１１から得られるエラーレート（Ｒｎ）を保存する（＃３９）。また、ＣＰＵ２０は、カウンタ値ｎを１つ増加させる（＃４０）。
【００５３】
ここで、カウンタ値ｎが「１６」でなければ（＃４１でＮＯ）、ＣＰＵ２０は、上記＃３７以降の処理を繰り返す。これにより、スマートアンテナ３の次の受信方向について同様の処理が行われ、スマートアンテナ３を次の受信方向に設定したときのエラーレートが保存される。
【００５４】
カウンタ値ｎが「１６」になれば（＃４１でＹＥＳ）、スマートアンテナ３を全ての方向（０〜１５の１６方向）に設定したときの各々のエラーレート（Ｒ０、Ｒ１、Ｒ２、・・・、Ｒ１５）が保存されたことになり、ＣＰＵ２０は、それらスマートアンテナ３を全ての方向に設定したときの各々のエラーレートのうち、最小のエラーレートが閾値未満であるか否かを判断する（＃４２）。
【００５５】
そして、最小のエラーレートが閾値未満であれば（＃４２でＹＥＳ）、ＣＰＵ２０は、テレビ放送信号の受信に成功と判定すると共に（＃４３）、スマートアンテナ３の受信方向を最小のエラーレートであったときの受信方向に設定して（＃４４）、スマートアンテナ信号検索処理を終了する。一方、最小のエラーレートが閾値未満でなければ（＃４２でＮＯ）、ＣＰＵ２０は、テレビ放送信号の受信に成功と判定することなく、スマートアンテナ信号検索処理を終了する。
【００５６】
図３に戻って、スマートアンテナ信号検索処理の結果、テレビ放送信号の受信に成功した場合には（＃４でＹＥＳ）、ＣＰＵ２０は、デコーダ１２にてＴＳを解析させて（＃５）、ＴＳの解析に成功したか否かを判断する（＃６）。このとき、ＣＰＵ２０は、デコーダ１２からチャンネル情報を獲得できた場合に、ＴＳの解析に成功した判断し、デコーダ１２からチャンネル情報を獲得できなかった場合に、ＴＳの解析に成功しなかったと判断する。
【００５７】
そして、ＴＳの解析に成功した場合には（＃６でＹＥＳ）、ＣＰＵ２０は、テレビ放送信号に基く映像を正常に表示することができる状況であると判断して、チャンネル受信テーブル３０に、現在のスマートアンテナ３の設定状態（電源オフ又は受信方向）を、該当チャンネルにおけるスマートアンテナ３の最適状態として記憶する（＃７）。
【００５８】
すなわち、ＣＰＵ２０は、上記＃３（図４の処理）のスマートアンテナ信号検索処理において、＃３３でＹＥＳ及び＃３４を経由した場合には、チャンネル受信テーブル３０の該当チャンネルにおける最適状態エリア３４に、電源オフを示すデータを記憶し、また、＃３３でＮＯ及び＃３５以降を経由した場合には、チャンネル受信テーブル３０の該当チャンネルにおける最適状態エリア３４に、現在の受信方向（上記図４のスマートアンテナ信号検索処理の＃４４において設定した受信方向）をアンテナ最適方向として、その受信方向を示すデータを記憶する。
【００５９】
なお、このとき、ＣＰＵ２０は、該当チャンネルが選局可能なチャンネルであると判断し、チャンネル受信テーブル３０の該当チャンネルにおけるＡＤＤ／ＤＥＬエリア３３に、該当チャンネルが選局可能なチャンネルであることを示すデータを記憶する。
【００６０】
つまり、このオートスキャン処理では、＃３のスマートアンテナ信号検索処理の結果、＃４でＹＥＳを経由して、さらに、＃６でＹＥＳを経由した場合に、そのときのチャンネルが選局可能なチャンネルであると判定される。そして、このとき（そのときのチャンネルが選局可能なチャンネルであると判定されたとき）に、＃３のスマートアンテナ信号検索処理において、＃３３でＹＥＳ及び＃３４を経由していた場合には、スマートアンテナ３を使用することなくテレビ放送信号に基く映像を正常に表示することができるアンテナ不要状況であると判定され、一方、＃３３でＮＯ及び＃３５以降を経由していた場合（すなわちアンテナ不要状況でないと判定された場合）には、＃４４において設定した受信方向がアンテナ最適方向として判定される。そして、これらの判定結果がチャンネル受信テーブル３０に記憶される。
【００６１】
＃７の処理の後、ＣＰＵ２０は、物理チャンネル番号を示す変数ＣＨの値を１つ増加させる（＃８）。一方、ＴＳの解析に成功しなかった場合には（＃６でＮＯ）、ＣＰＵ２０は、＃７の処理を行うことなく、物理チャンネル番号を示す変数ＣＨの値を１つ増加させる（＃８）。また、スマートアンテナ信号検索処理の結果、テレビ放送信号の受信に成功しなかった場合には（＃４でＮＯ）、ＣＰＵ２０は、＃５〜７の処理を行うことなく、物理チャンネル番号を示す変数ＣＨの値を１つ増加させる（＃８）。
【００６２】
ここで、変数ＣＨの値が「７０」でなければ（＃９でＮＯ）、ＣＰＵ２０は、上記＃２以降の処理を繰り返す。これにより、次のチャンネルについて同様の処理が行われる。そして、変数ＣＨの値が「７０」になれば（＃９でＹＥＳ）、全てのチャンネルについて同様の処理を行ったことになり、ＣＰＵ２０は、オートスキャン処理を終了する。
【００６３】
オートスキャン処理では、このようにして、選局可能なチャンネルが検出され、また、選局可能であるか否かを検出するチャンネルについて、アンテナ不要状況であるか否かが判定されると共に、アンテナ不要状況でないと判定されるチャンネルにおけるアンテナ最適方向が判定される。
【００６４】
図５は、デジタル／アナログ受像機１のテレビ受像処理のフローチャートを示す。テレビ受像処理は、（１）オートスキャン処理の終了時に自動的に、（２）ユーザによるテレビ受像処理を行うための指示操作を受けて、及び（３）デジタル／アナログ受像機１の起動時に自動的に、行われる。テレビ受像処理では、まず、ＣＰＵ２０は、テレビ放送信号のチャンネルを選局する選局処理を行う（＃５１）。
【００６５】
図６は、選局処理のフローチャートを示す。選局処理では、まず、ＣＰＵ２０は、チューナ１１に選局チャンネルの周波数を設定する（＃６１）。なお、選局チャンネルは、今回のテレビ受像処理がオートスキャン処理の終了時に自動的に行われるものである場合には、最小の仮想チャンネル番号のチャンネルであり、また、今回のテレビ受像処理がユーザによる指示操作を受けて行われるものである場合には、ユーザの指示操作により選択された仮想チャンネル番号のチャンネルであり、今回のテレビ受像処理がデジタル／アナログ受像機１の起動時に自動的に行われるものである場合には、前回にデジタル／アナログ受像機１を起動していたときに最後に選局されていたチャンネルである。
【００６６】
続いて、ＣＰＵ２０は、チャンネル受信テーブル３０に、選局チャンネルにおけるスマートアンテナ３の最適状態が記憶されているか否かを判断する（＃６２）。すなわち、ＣＰＵ２０は、チャンネル受信テーブル３０の選局チャンネルにおけるＡＤＤ／ＤＥＬエリア３３に、選局可能なチャンネルであることを示すデータが記憶されていて、チャンネル受信テーブル３０の選局チャンネルにおける最適状態エリア３４に、電源オフを示すデータ又は受信方向（アンテナ最適方向）を示すデータが記憶されているか否かを判断する。
【００６７】
そして、チャンネル受信テーブル３０に、選局チャンネルにおけるスマートアンテナ３の最適状態が記憶されていれば（＃６２でＹＥＳ）、ＣＰＵ２０は、スマートアンテナ３を、チャンネル受信テーブル３０に記憶されているスマートアンテナ３の最適状態に設定する（＃６３）。すなわち、ＣＰＵ２０は、チャンネル受信テーブル３０の選局チャンネルにおける最適状態エリア３４に、電源オフを示すデータが記憶されていれば、スマートアンテナ３への電源供給をオフにし、受信方向を示すデータが記憶されていれば、スマートアンテナ３の受信方向をそのデータの示す受信方向（アンテナ最適方向）に設定する。
【００６８】
続いて、ＣＰＵ２０は、そのときにチューナ１１から得られるエラーレートが閾値未満であるか否かを判断する（＃６４）。
【００６９】
ここで、エラーレートが閾値未満である場合には（＃６４でＹＥＳ）、ＣＰＵ２０は、デコーダ１２にてＴＳを解析させて（＃６５）、ＴＳの解析に成功したか否かを判断する（＃６６）。
【００７０】
そして、ＴＳの解析に成功した場合には（＃６６でＹＥＳ）、ＣＰＵ２０は、選局に成功したと判定して（＃６７）、選局処理を終了する。一方、エラーレートが閾値未満でない場合（＃６４でＮＯ）、及びＴＳの解析に成功しなかった場合には（＃６６でＮＯ）、ＣＰＵ２０は、選局に失敗したと判定して（＃６８）、選局処理を終了する。
【００７１】
なお、チャンネル受信テーブル３０に、選局チャンネルにおけるスマートアンテナ３の最適状態が記憶されていなければ（＃６２でＮＯ）、ＣＰＵ２０は、スマートアンテナ信号検索処理（上記図４と同じ処理）を行う（＃６９）。そして、スマートアンテナ信号検索処理の結果、テレビ放送信号の受信に成功した場合には（＃７０でＹＥＳ）、ＣＰＵ２０は、上記＃６５、＃６６の処理を行い、選局に成功したと判定（＃６７）、又は、選局に失敗したと判定して（＃６８）、選局処理を終了し、一方、テレビ放送信号の受信に成功しなかった場合には（＃７０でＮＯ）、ＣＰＵ２０は、選局に失敗したと判定して（＃６８）、選局処理を終了する。
【００７２】
図５に戻って、選局処理の結果、選局に成功した場合には（＃５２でＹＥＳ）、ＣＰＵ２０は、テレビ放送信号に基く映像を正常に表示することができる状況であると判断して、チャンネル受信テーブル３０に、現在のスマートアンテナ３の設定状態（電源オフ又は受信方向）を、該当チャンネルにおけるスマートアンテナ３の最適状態として記憶（更新）する（＃５３）。
【００７３】
そして、ＣＰＵ２０は、ＴＳの解析により得られる映像（すなわち、テレビ放送信号に基く映像）をディスプレイ２に表示する（＃５４）。その後、ＣＰＵ２０は、デコーダ１２にて、チューナ１１により順次生成されるＴＳを解析させ（＃５５）、そして、そのＴＳの解析に成功している間（＃５６でＹＥＳ）、上記＃５４以降の処理を繰り返す。これにより、テレビ放送信号に基く映像が表示され続ける。
【００７４】
なお、ＴＳの解析に成功しなかった場合（＃５６でＮＯ）、及び選局処理の結果、選局に失敗した場合には（＃５２でＮＯ）、ＣＰＵ２０は、選局復帰処理を行う（＃５７）。
【００７５】
図７は、選局復帰処理のフローチャートを示す。選局復帰処理では、まず、ＣＰＵ２０は、スマートアンテナ信号検索処理（上記図４と同じ処理）を行う（＃７１）。そして、スマートアンテナ信号検索処理の結果、テレビ放送信号の受信に成功した場合には（＃７２でＹＥＳ）、ＣＰＵ２０は、デコーダ１２にてＴＳを解析させて（＃７３）、ＴＳの解析に成功したか否かを判断する（＃７４）。
【００７６】
そして、ＴＳの解析に成功した場合には（＃７４でＹＥＳ）、ＣＰＵ２０は、選局の復帰に成功したと判定して（＃７５）、選局復帰処理を終了する。一方、ＴＳの解析に成功しなかった場合（＃７４でＮＯ）、及びスマートアンテナ信号検索処理の結果、テレビ放送信号の受信に成功しなかった場合には（＃７２でＮＯ）、ＣＰＵ２０は、選局の復帰に失敗したと判定して（＃７６）、選局復帰処理を終了する。
【００７７】
図５に戻って、選局復帰処理の結果、選局の復帰に失敗した場合には（＃５８でＮＯ）、ＣＰＵ２０は、上記＃５７以降の処理（選局復帰処理）を繰り返し、選局の復帰に成功した場合には（＃５８でＹＥＳ）、ＣＰＵ２０は、テレビ放送信号に基く映像を正常に表示することができる状況であると判断して、上記＃５３以降の処理を繰り返す。
【００７８】
テレビ受像処理では、このようにして、選局チャンネルのテレビ放送信号に基く映像が表示され、また、選局中のチャンネルについて、アンテナ不要状況であるか否かが判定されると共に、アンテナ不要状況でないと判定されるチャンネルにおけるアンテナ最適方向が判定され、それらの判定結果を反映してテレビ受像処理が継続される。
【００７９】
このような構成のデジタル／アナログ受像機１によれば、スマートアンテナ３を使用することなくテレビ放送信号に基く映像を正常に表示することができるアンテナ不要状況では、スマートアンテナ３への電源供給が行われない。従って、電力を無駄に消費することがなく、消費電力を削減することができる。
【００８０】
しかも、アンテナ不要状況でないと判定されるチャンネルについて、アンテナ最適方向（スマートアンテナ３の受信方向の最適方向）が判定される。従って、アンテナ不要状況であると判定されるチャンネルについて、アンテナ最適方向を判定するための処理を省くことができ、電力を無駄に消費することがなく、消費電力を削減することができる。
【００８１】
また、選局可能なチャンネルを自動的に検出するオートスキャン処理を行っているときに、そのオートスキャン処理により選局可能であるか否かを検出するチャンネルについて、アンテナ不要状況であるか否かが判定される。従って、テレビ受像処理（チャンネルを選局して、そのチャンネルのテレビ放送信号に基く映像を表示するテレビ受像処理）を開始するときに、アンテナ不要状況であるか否かを判定するための処理を省くことができ、素早く、テレビ放送信号に基く映像を正常に表示することができる。
【００８２】
また、テレビ受像処理を行っているときに、そのテレビ受像処理における選局チャンネルについて、アンテナ不要状況であるか否かが判定される。従って、テレビ受像処理を行っているときに、状況が変化して、アンテナ不要状況でなくなった場合には、それ以降、スマートアンテナ３への電源供給が行われてスマートアンテナ３が使用されることにより、継続して、テレビ放送信号に基く映像を正常に表示することができる。
【００８３】
なお、本発明は、上記実施形態の構成に限られず、種々の変形が可能である。例えば、テレビ受像処理を行う都度、テレビ受像処理の開始時にアンテナ不要状況であるか否かを判定するようにしてもよい。また、スマートアンテナへの電源供給を行うアンテナ電源部がデジタル／アナログ受像機の外部に設けられていて、デジタル／アナログ受像機の外部に設けられているアンテナ電源部からスマートアンテナへの電源供給のオン／オフを、デジタル／アナログ受像機が制御するようになっていてもよい。また、デジタル／アナログ受像機は、ディスプレイを一体的に備えたタイプのものであってもよい。
【図面の簡単な説明】
【００８４】
【図１】本発明の一実施形態に係るデジタル／アナログ受像機の概略構成を示す電気的ブロック構成図。
【図２】同デジタル／アナログ受像機のチャンネル受信テーブルを説明する図。
【図３】同デジタル／アナログ受像機のオートスキャン処理を示すフローチャート。
【図４】同デジタル／アナログ受像機のスマートアンテナ信号検索処理を示すフローチャート。
【図５】同デジタル／アナログ受像機のテレビ受像処理を示すフローチャート。
【図６】同デジタル／アナログ受像機の選局処理を示すフローチャート。
【図７】同デジタル／アナログ受像機の選局復帰処理を示すフローチャート。
【符号の説明】
【００８５】
１    デジタル／アナログ受像機（テレビジョン受像機）
２    ディスプレイ
３    スマートアンテナ
４    電源線
５    制御信号線
６    電気信号線
１１    チューナ
１２    デコーダ
１３    ＯＳＤ回路
１４    アンテナ電源部
１５    制御信号送信部
１６    リモコン
１７    リモコン受信部
１８    ＲＯＭ
１９    ＲＡＭ
２０    ＣＰＵ（アンテナ電源制御手段、オートスキャン制御手段、テレビ受像制御手段、アンテナ不要判定手段、アンテナ方向判定手段）
３０    チャンネル受信テーブル
３１    物理Ｃｈエリア
３２    仮想Ｃｈエリア
３３    ＡＤＤ／ＤＥＬエリア
３４    最適状態エリア
【図１】
2009177633.tif 000003
【図２】
2009177633.tif 000004
【図３】
2009177633.tif 000005
【図４】
2009177633.tif 000006
【図５】
2009177633.tif 000007
【図６】
2009177633.tif 000008
【図７】
2009177633.tif 000009